【手続補正書】
【提出日】令和1年8月29日(2019.8.29)
【手続補正１】
【補正対象書類名】明細書
【補正対象項目名】０１７８
【補正方法】変更
【補正の内容】
【０１７８】
当業者には言うまでもないが、実施形態は、例えば記憶または送信され得る情報を担うようフォーマットされた種々の信号を生成することもできる。情報には、例えば、方法を実行する命令や、説明した実施形態により生成されるデータが含まれ得る。例えば、信号は、データとして、説明した実施形態のシンタックスを書き込み又は読み出しする規則を担うようにフォーマットされてもよいし、又はデータとして、説明した実施形態により書き込まれた実際のシンタックス値を担うようにフォーマットされてもよい。かかる信号は、（例えば、無線周波数のスペクトルを用いた）電磁波やベースバンド信号などとしてフォーマットし得る。フォーマット化には、例えば、データストリームの符号化、符号化したデータストリームによるキャリアの変調が含まれる。信号が担う情報は例えばアナログ情報やデジタル情報であってもよい。知られているように、信号は様々な異なる有線リンクまたは無線リンクで送信できる。信号はプロセッサ読み取り可能媒体に記憶してもよい。
実施形態を説明した。しかし、言うまでもなく様々な修正を行うことができる。例えば、別の実施形態の要素を組み合わせ、補充し、修正し、または削除して、他の実施形態を形成してもよい。また、当業者には言うまでもないが、開示した構成やプロセスを他の構成やプロセスで置き換えてもよく、その結果の実施形態が少なくとも実質的に同じ機能を果たし、少なくとも実質的に同じように、開示した実施形態と実質的に同じ結果を達成する。したがって、本願ではこれらの実施形態及びその他の実施形態を想定している。
［付記１］
画像ごとに異なる焦点距離でフォーカスした画像セットを含む現在の焦点スタックの符号化方法であって、
前記現在の焦点スタックの画像を表す情報を符号化し、前記画像は画像鮮明度基準に従って前記現在の焦点スタックにおいて選択され、前記画像を再構成して再構成画像にすることと、
少なくとも前記再構成画像からの予測によって、前記現在の焦点スタックの少なくとも他の画像を符号化することとを含む
符号化方法。
［付記２］
前記画像鮮明度基準は画像中の合焦画素の数に対応する、
付記１に記載の符号化方法。
［付記３］
前記現在の焦点スタックにおいて選択される画像は、最大数の合焦画素を有する画像である、
付記２に記載の符号化方法。
［付記４］
前記現在の焦点スタックにおいて、最大数の合焦画素を含む画像は全合焦画像である、
付記３に記載の符号化方法。
［付記５］
現在の焦点スタックの少なくとも１つの他の画像を少なくとも前記再構成画像からの予測によって符号化することは、前記他の画像の少なくとも１つの画素について、前記再構成画像内の対応する位置に配置された対応する画素の少なくとも１つの値と、符号化する前記他の画像に関連する深度位置に応じた不鮮明化関数から値を符号化することを含む、
付記１に記載の符号化方法。
［付記６］
前記現在の焦点スタックは様々な視野角でキャプチャされた焦点スタックグループの一部であり、前記焦点スタックグループの前記焦点スタックはその視野角の方向順にしたがって順序付けられ、前記符号化方法はさらに、
参照視野角と呼ばれる、前記現在の焦点スタックの方向順序および視野角からスタック間画像符号化順序を決定することと、
前記現在の焦点スタックの再構成画像から前記スタック間画像符号化順序に従って処理された前記焦点スタックグループの少なくとももう１つの焦点スタックの画像の少なくとも１つの画素を符号化することであって、前記少なくとももう１つの焦点スタックの画像は、画像鮮明度基準にしたがって選択された画像であり、参照画像と呼ばれることとを含む、
付記１乃至５いずれか一項に記載の符号化方法。
［付記７］
前記参照画像の画素は、視野角の参照値でキャプチャされた前記現在の焦点スタックの再構成画像から、かつ前記参照画像と前記現在の焦点スタックの再構成画像との間の視野を表す情報から符号化される、
付記６に記載の符号化方法。
［付記８］
視野角の参照値とは異なる視野角でキャプチャした前記参照画像の各画素の値は、視野角の前記参照値でキャプチャされた現在の焦点スタックの前記再構成画像から、及び前記焦点スタックグループに関連するシーンの階層的深度画像から符号化される、
付記６に記載の符号化方法。
［付記９］
前記焦点スタックグループは、基準時刻ｔ０にキャプチャされ、時刻ｔにキャプチャされた少なくとも１つの他の焦点スタックグループをさらに含むシーケンスの一部であり、
前記符号化方法はさらに、：
前記基準時刻ｔ０にキャプチャされた前記現在の焦点スタックの再構成画像から実行された時間予測を用いて、焦点スタックグループのシーケンスの時刻ｔにキャプチャされた少なくとも１つの他の焦点スタックグループの、視野角の参照値でキャプチャされた焦点スタックの参照画像の少なくとも１つの画素を符号化することを含む、
付記６ないし８いずれか一項に記載の符号化方法。
［付記１０］
前記符号化方法はさらに、前記現在の焦点スタックを表す信号に、前記現在の焦点スタックの全合焦画像を再構成するマップを挿入することを含む、
付記４に記載の符号化方法。
［付記１１］
画像ごとに様々な焦点距離でフォーカスされた画像セットを含む少なくとも現在の焦点スタックを表す信号であって、少なくとも、
前記現在の焦点スタックの画像を表す情報であって、前記画像は画像鮮明度基準に従って前記現在の焦点スタックから選択される、情報と、
前記現在の焦点スタックの少なくとも他の画像に関連し、前記選択される画像の少なくとも再構成画像からの予測により取得される情報とを含む、
信号。
［付記１２］
画像ごとに異なる焦点距離でフォーカスした画像セットを含む現在の焦点スタックを復号する方法であって、
前記現在の焦点スタックの画像を表す情報を復号することであって、前記画像は画像鮮明度基準を満たす、ことと、
少なくとも前記復号された画像からの予測によって、現在の焦点スタックの少なくとも他の画像を再構成することとを含む、
方法。
［付記１３］
画像ごとに異なる焦点距離でフォーカスした画像セットを含む現在の焦点スタックを符号化する装置であって、
メモリと、
前記メモリに結合した少なくとも１つのプロセッサであって、
前記現在の焦点スタックの画像を表す情報を符号化し、前記画像は画像鮮明度基準に従って前記現在の焦点スタックにおいて選択され、前記画像を再構成して再構成画像にし、
少なくとも前記再構成された画像からの予測によって、現在の焦点スタックの少なくとも他の画像を符号化するように構成される、
装置。
［付記１４］
画像ごとに異なる焦点距離でフォーカスした画像セットを含む現在の焦点スタックを復号する装置であって、
メモリと、
前記メモリに結合した少なくとも１つのプロセッサであって、
前記現在の焦点スタックの画像を表す情報を復号し、前記画像は画像鮮明度基準を満たす、
少なくとも前記復号された画像からの予測によって、現在の焦点スタックの少なくとも他の画像を再構成するように構成される、
装置。
［付記１５］
通信ネットワークからダウンロード可能であり、及び／又はコンピュータにより読み取り可能な媒体上に記録され、及び／又はプロセッサにより実行可能であり、付記１ないし１０いずれか一項または付記１２に記載の方法を実装するプログラムコード命令を含むコンピュータプログラム製品。
［付記１６］
コンピュータプログラム製品が記録され、プロセッサにより実行され得る非一時的コンピュータ読み取り可能媒体であって、付記１乃至１０いずれか一項または付記１２に記載の方法を実装するプログラムコード命令を含む、非一時的コンピュータ読み取り可能媒体。